(57)【要約】【課題】  感光体ドラムの内部に取り付けられた充填部材の取り外しす際、感光体ドラムを切断することなくフランジを容易に分離する。【解決手段】  感光体ドラム２０の内部に嵌合された充填部材１２４を容易に取り外し、再使用できる。更に、充填部材１２４を取り外す工程で、既にフランジ１２６，１２８と感光体ドラム素管２１とが別れている。よって、フランジ１２６，１２８と感光体ドラム素管２１とを分離する工程が別途必要ないので、作業効率が良い。【選択図】        図６
2005331661.tif 000002
【特許請求の範囲】
【請求項１】
感光体ドラムの内壁に嵌合された充填部材の再生方法であって、
前記感光体ドラムの端部に取り付けられたフランジの軸孔にシャフトを差し込み、前記シャフトが差し込まれていない反対側の端部を揺動し、該フランジを外す第１工程と、
前記フランジが取り外された前記感光体ドラムの端部の内径を拡張する第２工程と、
前記感光体ドラムに押出持具を挿入し、内径が拡張された方へ前記充填材を押し出して取り外す第３工程と、
を含むことを特徴とする充填部材の再生方法。
【請求項２】
感光体ドラムの内部に嵌合された充填部材の再生方法であって、
前記感光体ドラムの端部に取り付けられたフランジの軸孔にシャフトを差し込み、前記シャフトが差し込まれていない反対側の端部を揺動し、該フランジを外す第１工程と、
前記フランジが取り外された前記感光体ドラムの端部の内壁を削る第２工程と、
前記感光体ドラムに押出持具を挿入し、内壁が削られた方へ前記充填材を押し出して取り外す第３工程と、
を含むことを特徴とする充填部材の再生方法。
【請求項３】
請求項１又は請求項２に記載の充填部材の再生方法によって取り外された充填材が内壁に嵌合されたことを特徴とする感光体ドラム。
【請求項４】
感光体ドラムの内壁に嵌合された充填部材の取外し装置であって、
前記感光体ドラムの端部に取り付けられたフランジの軸孔が差し込まれ、差し込まれていない端部を揺動し、前記フランジを取り外すためのシャフトと、
前記フランジが取り外された前記感光体ドラムの端部の内径を拡張する拡張装置と、
前記感光体ドラムに押出持具を挿入し、内径が拡張された方へ前記充填材を押し出して取り外す押出持具と、
を備えることを特徴とする充填部材の取外し装置。
【請求項５】
感光体ドラムの内壁に嵌合された充填部材の取外し装置であって、
前記感光体ドラムの端部に取り付けられたフランジの軸孔が差し込まれ、差し込まれていない端部を揺動し、前記フランジを取り外すためのシャフトと、
前記フランジが取り外された前記感光体ドラムの端部の内壁を削る内壁切削装置と、
前記感光体ドラムに押出持具を挿入し、内壁が削られた方へ前記充填材を押し出して取り外す押出持具と、
を備えることを特徴とする充填部材の取外し装置。
【発明の詳細な説明】
【技術分野】
【０００１】
本発明は、感光体ドラムに嵌合された充填材の再生方法、再生方法によって取り外された充填材が内壁に嵌合された感光体ドラム、及び充填部材の取外し装置に関する。
【背景技術】
【０００２】
感光体ドラムを用いた電子写真プロセスを適用した画像形成装置において、記録紙への転写後の残留トナーを除去する方法として、感光体ドラムにクリーングブレードを当接させて掻きとって除去する、ブレードクリーニング方式が主に用いられている。このようなブレードクリーニング方式では、感光体ドラムとクリーニングブレードとが摩擦し、摺動音が発生することがあった。
【０００３】
更に、近年、帯電装置として、これまで多く使用されてきたコロナ放電装置を用いたものに代わって、電源の低電圧化を容易に図ることができ、またオゾンの発生が極微量であること等の長所を有することから、ローラ型の帯電部材（以降「帯電ローラ」と記す）を用いた接触帯方式が採用されることが多くなっている。帯電ローラによって感光体ドラムを帯電させる方法として、直流に交流を重畳させた振動電圧を帯電ローラに印加する方法がある。しかし、帯電ローラに、振動電圧を印加して感光体ドラムを帯電させると、振動電圧によって感光体ドラムが振動することに起因する、いわゆる帯電音が発生することがあった。
【０００４】
このような摺動音や帯電音（以下、これらを「振動音」と呼ぶ）の発生を防止するために、感光体ドラムの内部に充填部材を固定することにより、感光体ドラムの振動音を小さくする方法が考案されている。
【０００５】
さて、複写機、ファクシミリ、プリンターなどの電子写真プロセスを適用した画像形成装置は、リース契約期間の終了や新製品への買い換えなどで使用が終了した場合、即時廃棄するのではなく、資源の有効活用の観点から、使用済みの画像形成装置は再生工場に送られて分解され、再使用可能な部品は、新規に製造される画像形成装置に再び使用されている。
【０００６】
前述した感光体ドラムの内部に固定された充填部材も再使用されている。そして、感光体ドラムの内部に固定された充填部材を取り外す方法として、感光体ドラムの両端部を切断して、充填部材を取り外す方法が提案されている。（例えば、特許文献１参照）。
【特許文献１】特開平０９−１０６２１９号公報
【発明の開示】
【発明が解決しようとする課題】
【０００７】
通常、感光体ドラムのドラム素管は金属製であり、フランジは樹脂製である。よって、廃棄する場合、感光体ドラムとフランジとを分別して廃棄する必要がある。
【０００８】
しかしながら、特開平０９−１０６２１９号公報に記載されているような、感光体ドラムを切断して取り外す方法では、感光体ドラムの両端部に取り付けられているフランジは、切断された感光体ドラムに取り付けられたままである。よって、感光体ドラムからフランジを取り外す工程（感光体ドラムとフランジとを分離する工程）が別途必要である。
【０００９】
また、感光体ドラムは、表面の感光層を除去してドラム素管とし、このドラム素管に再び感光層を塗布し、新しく感光体ドラムとして再生することができるが、感光体ドラムを切断して取り外す方法では、このような再生はできない。
【００１０】
本発明は、上記問題を解決すべく成されたもので、感光体ドラムの内部に取り付けられた充填部材の取り外す際、感光体ドラムを切断することなくフランジを容易に分離する充填部材の再生方法及び充填部材の取り外し装置、並びに再生した充填部材を用いた感光体ドラムを提供することを目的とする。
【課題を解決するための手段】
【００１１】
請求項１に記載の充填部材の再生方法は、感光体ドラムの内壁に嵌合された充填部材の再生方法であって、前記感光体ドラムの端部に取り付けられたフランジの軸孔にシャフトを差し込み、前記シャフトが差し込まれていない反対側の端部を揺動し、該フランジを外す第１工程と、前記フランジが取り外された前記感光体ドラムの端部の内径を拡張する第２工程と、前記感光体ドラムに押出持具を挿入し、内径が拡張された方へ前記充填材を押し出して取り外す第３工程と、を含むことを特徴としている。
【００１２】
請求項１に記載の充填部材の再生方法は、第１工程で、感光体ドラムの端部に取り付けられたフランジの軸孔にシャフトを差し込み、シャフトが差し込まれていない反対側の端部を揺動し、テコの原理でフランジを外す。第２工程で、感光体ドラムの端部の内径を拡張する。第３工程で感光体ドラムに押出持具を挿入し、内径が拡張された方へ充填材を押し出して取り外す。なお、第２工程で感光体ドラムの端部の内径を拡張しているのは、端部にバリやフランジを固定していた接着剤が残っていても、第３工程で充填材を押し出して取り外す際に、引っかからないようにするためである。
【００１３】
このように、感光体ドラムを切断することなく、フランジを外して充填部材を取り外している。つまり、充填部材を取り外す際に、感光体ドラムとフランジとが既に分離されている。したがって、感光体ドラムとフランジとを分離する工程が別途必要ないので、作業効率が良い。
【００１４】
請求項２に記載の充填部材の再生方法は、感光体ドラムの内部に嵌合された充填部材の再生方法であって、前記感光体ドラムの端部に取り付けられたフランジの軸孔にシャフトを差し込み、前記シャフトが差し込まれていない反対側の端部を揺動し、該フランジを外す第１工程と、前記フランジが取り外された前記感光体ドラムの端部の内壁を削る第２工程と、前記感光体ドラムに押出持具を挿入し、内壁が削られた方へ前記充填材を押し出して取り外す第３工程と、を含むことを特徴としている。
【００１５】
請求項２に記載の充填部材の再生方法は、第１工程で感光体ドラムの端部に取り付けられたフランジの軸孔にシャフトを差し込み、シャフトが差し込まれていない反対側の端部を揺動し、フランジを外す。第２工程で、フランジが取り外された感光体ドラムの端部の内壁を削る。第３工程で感光体ドラムに押出持具を挿入し、内壁が削られた方へ充填材を押し出して取り外す。なお、第２工程で感光体ドラムの端部の内径を削るのは、端部にバリやフランジを固定していた接着剤が残っていても、第３工程で充填材を押し出して取り外す際に、引っかからないようにするためである。
【００１６】
このように、請求項１と同様に、充填部材を取り外す際に、感光体ドラムとフランジとが既に分離されているので、感光体ドラムとフランジとを分離する工程が別途必要なく、作業効率が良い。
【００１７】
更に、第２工程では、感光体ドラムの端部の内壁を削るのみであるので、フランジが取り外された感光体ドラムを新しい感光体ドラムとして再生することができる。
【００１８】
請求項３に記載の感光体ドラムは、請求項１又は請求項２に記載の充填部材の再生方法によって取り外された充填材が内壁に嵌合されたことを特徴としている。
【００１９】
請求項３に記載の感光体ドラムは、請求項１又は請求項２に記載の充填部材の再生方法によって取り外された充填材が内壁に嵌合されている。よって、低コストである。また環境問題に対しても考慮された感光体ドラムである。
【００２０】
請求項４に記載の充填部材の取外し装置は、感光体ドラムの内壁に嵌合された充填部材の取外し装置であって、前記感光体ドラムの端部に取り付けられたフランジの軸孔が差し込まれ、差し込まれていない端部を揺動し、前記フランジを取り外すためのシャフトと、
前記フランジが取り外された前記感光体ドラムの端部の内径を拡張する拡張装置と、
前記感光体ドラムに押出持具を挿入し、内径が拡張された方へ前記充填材を押し出して取り外す押出持具と、を備えることを特徴としている。
【００２１】
請求項４に記載の充填部材の取外し装置は、シャフトを感光体ドラムの端部に取り付けられたフランジの軸孔に差し込み、差し込まれていない端部を揺動し、フランジを取り外す。拡張装置でフランジが取り外された感光体ドラムの端部の内径を拡張する。押出持具を感光体ドラムに挿入し、内径が拡張された方へ充填材を押し出して取り外す。
【００２２】
このように、充填部材を取り外す際に、感光体ドラムとフランジとが既に分離されているので、感光体ドラムとフランジとを分離する工程が別途必要なく、作業効率が良い。
【００２３】
請求項５に記載の充填部材の取外し装置は、感光体ドラムの内壁に嵌合された充填部材の取外し装置であって、前記感光体ドラムの端部に取り付けられたフランジの軸孔が差し込まれ、差し込まれていない端部を揺動し、前記フランジを取り外すためのシャフトと、前記フランジが取り外された前記感光体ドラムの端部の内壁を削る内壁切削装置と、前記感光体ドラムに押出持具を挿入し、内壁が削られた方へ前記充填材を押し出して取り外す押出持具と、を備えることを特徴としている。
【００２４】
請求項５に記載の充填部材の取外し装置は、シャフトを感光体ドラムの端部に取り付けられたフランジの軸孔に差し込み、差し込まれていない端部を揺動し、フランジを取り外す。内壁切削装置でフランジが取り外された感光体ドラムの端部の内壁を削る。押出持具を感光体ドラムに挿入し、内壁が削られた方へ充填材を押し出して取り外す。
【００２５】
このように、充填部材を取り外す際に、感光体ドラムとフランジとが既に分離されているので、感光体ドラムとフランジとを分離する工程が別途必要なく、作業効率が良い。
【００２６】
更に、内壁切削装置で感光体ドラムの端部の内壁を削るのみであるので、フランジが取り外された感光体ドラムを新しい感光体ドラムとして再生することができる。
【発明の効果】
【００２７】
充填部材を取り外す際に、感光体ドラムとフランジとが既に分離されているので、感光体ドラムとフランジとを分離する工程が別途必要なく、作業効率が良い。
【発明を実施するための最良の形態】
【００２８】
以下、本発明に係る感光体ドラムの内部に嵌合されている充填部材の再生方法を適用する一例として、公知の電子写真プロセスを適用したレーザープリンタを説明する。なお、公知の電子写真プロセスとは、感光体に対する帯電、レーザ等の露光による潜像の形成、トナーによる潜像の現像を経て、感光体上に形成されたトナー像を記録紙などに転写し、そして、トナー像を記録紙に定着することで、画像を記録する一連のプロセスを言う。
【００２９】
また、本発明が適用される画像形成装置は、以下で説明するレーザープリンタに限らず、複写機、ファクシミリ、あるいは、複合機等であっても良い。
【００３０】
図１は、レーザープリンタ１１の概略構成を示している。レーザープリンタ１１は、公知の電子写真プロセスにより、外部装置から入力した画像情報に基づいてトナー像を形成し、この画像を記録紙Ｐに記録するものである。なお、以下の説明において、本発明の本質とは直接関係しないものについては、詳細な説明を省略する。
【００３１】
まず、レーザープリンタ１１の構成の概要と記録紙Ｐに画像の形成を行うプロセスの概要とを説明する。なお、図に向かって左側を正面側とする。
【００３２】
図１に示すように、レーザープリンタ１１の内部の中央付近に、感光体ドラム２０が回転可能に配置されている。感光体ドラム２０は駆動手段（図示省略）により、矢印Ｋの方向に回転する。
【００３３】
感光体ドラム２０の左上部には、感光体ドラム２０と接触しニップが形成されるように帯電ローラ２２が配置されている。帯電ローラ２２は帯電バイアスとして、直流に交流を重畳させた振動電圧が印加され、感光体ドラム２０を所定の電位に帯電する。帯電後、感光体ドラム２０の上方に配置された光走査装置４４から出射されたレーザービームＬＢによって露光が行われ、画像情報に応じた潜像が感光体ドラム２０の表面に形成される。
【００３４】
感光体ドラム２０の左側には現像器２４が配置されている。この現像器２４の現像ローラ２６には、所定の極性に帯電したトナーが担持されている。感光体ドラム２０の表面に形成された潜像は、現像ローラ２６に現像バイアスをかけることで現像されトナー像となる。そして、トナー像は、転写ローラ３２と感光体ドラム２０とのニップ部に送られる。
【００３５】
一方、レーザープリンタ１１の下部には、記録紙Ｐが収容された給紙カセット４８が配置されている。記録紙Ｐは、ピックアップローラ３６により送り出され、搬送ローラ３８によって搬送される。そして、レジストローラ４０により所定のタイミングで転写ローラ３２と感光体ドラム２０とのニップ部に送られる。
【００３６】
転写ローラ３２には前述したトナーの所定の電位と逆極性の電圧が印加され、感光体ドラム２０のトナー像は記録紙Ｐに転写される。トナー像が転写した記録紙Ｐは定着器３４に送られる。定着器３４は熱と圧力とで記録紙Ｐにトナー像を定着する。トナー像が定着した記録紙Ｐは、レーザープリンタ１１の上部の排紙トレイ４２に排紙される。
【００３７】
トナー像は転写ローラ３２で記録紙Ｐに全ては転写されずに、一部は感光体ドラム２０に残留トナーとして残る。残留トナーは、感光体ドラム２０の上部に配置されたクリーニング器２８のクリーニングブレード３０をで掻き取られ、クリーニング器２８の内部２９に回収される。
【００３８】
なお、感光体ドラム２０、現像器２４、クリーニング器２８、帯電ローラ２２は、一体的に支持されたプロセスカートリッジ１００を構成している。そして、プロセスカートリッジ１００はレーザープリンタ１１に着脱可能に装着されている。
【００３９】
レーザープリンタ１１の正面部には、プロセスカートリッジ１００を着脱するための開閉カバー５０が設けられている。開閉カバー５０は、下端部に回動軸５２が設けられている。そして、図２に示すように、プロセスカートリッジ１００が寿命になると開閉カバー５０を開閉し、新しいプロセスカートリッジ１００と交換することができる。
【００４０】
図３に示すように、感光体ドラム２０は、従来公知の方法により、アルミニウム又はアルミニウムを主材とする合金などの金属性の円筒形のドラム素管１２０の表面に感光層１２２が形成されている。なお、以降、ドラム素管１２０と感光層１２２との部分のみを感光体ドラム素管２１とする。
【００４１】
さて、転写後の残留トナーを感光体ドラム２０の表面にクリーニングブレード３０を当接させて掻き取って除去する、所謂ブレードクリーニング方式では、感光体ドラム２０とクリーニングブレード３０とが摩擦し、摺動音が発生する。
【００４２】
また、帯電ローラ２２に、直流に交流を重畳させた振動電圧を印加して感光体ドラム２０を帯電させると、振動電圧によって感光体ドラム２０が振動することに起因する、いわゆる帯電音が発生する。
【００４３】
このような摺動音や帯電音（以下、これらを「振動音」と呼ぶ）の発生を防止するために、感光体ドラム２０の内部の長手方向中心付近に充填部材１２４を嵌合させている。
【００４４】
充填部材１２４は樹脂からなり、図４に示すように、円筒形状で、円筒軸方向にスリット部１２４Ａが形成された断面がＣ字形状をしている。更に、スリット部１２４Ａの反対側には、円筒軸方向が長手方向となっている溝部１２４Ｂが形成されている。また、充填部材１２４の外径は、感光体ドラム素管２１の内径より僅かに大きい。しかし、図５（ａ）と図５（ｂ）とに示すように、スリット部１２４Ａの間隔が狭まるように、つまり、外径が小さくなるように、溝部１２４Ｂを支点に弾性変形する。このように外径が小さくなるので、感光体ドラム素管２１の内部に抵抗なくスムーズに挿入可能である。また、挿入後、感光体ドラム素管２１の内壁に密着して固定されるので、充填部材１２４を接着剤で固定する必要はない。
【００４５】
図３に示すように、回転の支持や駆動のため、感光体ドラム素管２１の両端部には樹脂製のフランジ１２６，１２８が取り付けられている。フランジ１２６，１２８の中央部には、感光体ドラム２０を回転支持する回転軸（図示省略）が挿入される軸孔１２６Ａ、１２８Ｂが形成されている。なお、感光体ドラム素管２１とフランジ１２６，１２８とは、接着剤で固定されている。接着剤としては、エポキシ系、アクリル系、シアノアクリレート系、ゴム系等が用いられている。
【００４６】
さて、使用済みのプロセスカートリッジ１００（図２参照）は市場から回収されて再生工場に送られる。再生工場でプロセスカートリッジ１００は分解され、リサイクル可能な部品は新規に製造されるプロセスカートリッジ１００に再び使用される。（リサイクル工程）。そして、感光体ドラム２０の内部に嵌合されている充填部材１２４も、感光体ドラム２０から取り外して再使用する。
【００４７】
以下に、本発明に係る充填部材１２４の第１の再生方法を説明する。
【００４８】
図６は、充填部材１２４を感光体ドラム２０から取り外すための、充填部材の取外し装置２００である。充填部材の取外し装置２００には、フランジ１２６，１２８の軸孔１２６Ａ，１２８Ａに挿入可能なシャフト２１０、感光体ドラム２０をチャック部２２２，２２３で挟んで固定し、左右方向にスライド可能なチャッキング装置２２０、感光体ドラム素管２１の端部を切断し拡張する拡張刃２３２が取り付けられた拡張装置２３０が備えられている。
【００４９】
更に、図７に示すように、感光体ドラム素管２１の内径より小さく、充填部材１２４の内径Ｄ（図４参照）より大きい外径Ｌ１の棒状の押出持具２４０を用いる。押出持具２４０の先端部は半球状の突起部２４２が形成されている。この突起部２４２の外径Ｌ２は充填部材１２４の内径Ｄより小さく、突起部２４２は充填部材１２４の内壁に係合可能となっている。（図１０（Ｂ）参照）。
【００５０】
以下に、充填部材の取外し装置２００を用いた充填部材１２４の取り外し方法を説明する。
【００５１】
図８（ａ），（ｂ）に示すように、フランジ１２６の軸孔１２６Ａにシャフト２１０を挿入する。図８（ｃ）−１，（ｃ）−２に示すように、シャフト２１０が挿入された反対側の感光体ドラム２０の端部を手で、前後左右（図８（ｃ）‐１）や回転（図８（ｃ）‐２）するように揺動する。揺動するとテコの原理で除除にフランジ１２６が外れていき、図８（ｄ）に示すように、最終的にフランジ１２６が感光体ドラム素管２１から外れる。同様に、もう一方のフランジ１２８も外す。
【００５２】
図９（Ａ）に示すように、フランジ１２６，１２８が取り外された感光体ドラム素管２１を、チャッキング装置２２０に取りつける。そして、図９（Ｂ），（Ｃ）に示すように、拡張装置２３０の拡張刃２３２へスライドさせ、一方の端部２１Ａを切って拡張する。
【００５３】
図１０に示すように、元の位置にスライドし、拡張されていない他方の端部２１Ｂ側から押出持具２４０を挿入し、拡張した端部２１Ａ側に、充填部材１２４を押し出して外す。前述したように、充填部材１２４は、接着して固定されていないので、押出持具２４０で容易に押し出せる。
【００５４】
なお、フランジ１２６，１２８を取り外した状態のままでは、端部２１Ａにバリが出ていたり、端部２１Ａの内壁にフランジ１２６を接着している接着剤３１０が残っている。（図１２（Ａ）参考）。よって、押出持具２４０で押し出そうそとしても、バリや接着剤３１０に引っかかって押し出せない。このため、前述したように、拡張装置２３０で端部２１Ａを拡張している。
【００５５】
取り外された充填部材１２４は、新しい感光体ドラム２０に再び使用される。また、この新しい感光体ドラム２０は、新規のプロセスカートリッジ１００に組み込まれ市場に出荷される。
【００５６】
また、フランジ１２６，１２８と感光体ドラム素管２１とは、それぞれ樹脂原料及び金属原料等として再利用される。
【００５７】
つぎに、本実施形態の作用を説明する。
【００５８】
今まで説明したように、感光体ドラム２０の内部に嵌合された充填部材１２４を容易に取り外し、再使用できる。更に、充填部材１２４を取り外す工程で、既にフランジ１２６，１２８と感光体ドラム素管２１とが別れている。よって、フランジ１２６，１２８と感光体ドラム素管２１とを分離する工程が別途必要ないので、作業効率が良い。
【００５９】
以下に、本発明に係る充填部材１２４の第２の再生方法を説明する。
【００６０】
図１１は、充填部材１２４を感光体ドラム２０から取り外すための、充填部材の取外し装置３００である。この充填部材の取外し装置３００には、第１の実施形態で説明した拡張装置２３０でなく、感光体ドラム素管２１の端部２１Ａの内壁を削るリーマー３３２が取り付けられたリーマー装置３３０が備えられている。なお、これ以外は、第１の実施形態と同じである。
【００６１】
以下に、充填部材の取外し装置３００を用いた充填部材１２４の取り外し方法を説明する。
【００６２】
第１実施形態と同様に、図８（ａ），（ｂ）に示すように、フランジ１２６の軸孔１２６Ａにシャフト２１０を挿入し、シャフト２１０が挿入された反対側の感光体ドラム２０の端部を手で、前後左右（図８（ｃ）‐１）や回転（図８（ｃ）‐２）するように揺動する。揺動するとテコの原理で除除にフランジ１２６が外れていき、図８（ｄ）に示すように、最終的にフランジ１２６が感光体ドラム素管２１から外れる。同様に、もう一方のフランジ１２８も外す。図１２に示すように、フランジ１２６，１２８が取り外された感光体ドラム素管２１を、チャッキング装置２２０に取りつける。（ここまでは、第１の実施形態と同様である）。
【００６３】
そして、図１２（Ｂ），（Ｃ）に示すように、リーマー装置３３０へスライドさせリーマ３３２を端部２１Ａの内壁に当てる。リーマー３３２を回転させ、端部２１Ａの内壁に残っている接着剤３１０やバリを削る。
【００６４】
図１３に示すように、元の位置にスライドし、リーマー３３２で削られていない端部２１Ｂ側から押出持具２４０を挿入し、内壁が削られた端部２１Ｂ側に押し出して外す。
【００６５】
取り外された充填部材１２４は、新しい感光体ドラム２０に再び使用され、新しい感光体ドラム２０は、新規のプロセスカートリッジ１００に組み込まれ、市場に出荷される。
【００６６】
つぎに、本実施形形態の作用を説明する。
【００６７】
第１の実施形態の作用に加え、以下の作用を奏す。
【００６８】
感光体ドラム素管２１は内壁のバリや接着剤を削ったのみである。よって、感光体ドラム素管２１の表面の感光層１２２を除去してドラム素管１２０とし、このドラム素管１２０に再度、感光層１２２を形成し、新しい感光体ドラム２０として再生することができる。（図３参照）。したがって、環境的に更に優れている。
【図面の簡単な説明】
【００６９】
【図１】本発明に係る感光体ドラムの内部に嵌合されている充填部材の再生方法を適用するレーザープリンタを示す断面図である。
【図２】図１に示すレーザープリンタの開閉カバーを開閉し、プロセスカートリッジを交換している図である。
【図３】本発明に係る充填部材の再生方法が適用される感光体ドラムを示す部分断面斜視図である。
【図４】本発明に係る充填部材の再生方法が適用される充填部材を示す斜視図である。
【図５】本発明に係る充填部材の再生方法が適用される充填部材を示し、（ａ）は通常の状態の断面図であり、（ｂ）は弾性変形させ外径を小さくした状態の断面図である。
【図６】本発明に係る第１の充填部材の取り外し装置を示す図である。
【図７】充填部材の押出持具を示す図である。
【図８】感光体ドラムからフランジを取り外す様子を（ａ）から（ｄ）に順番に示した図である。
【図９】感光体ドラム素管の端部を拡張する様子を（Ａ）から（Ｃ）に順番に示した図である。
【図１０】感光体ドラム素管に押出持具を挿入し、充填部材を押し出して外す様子を（Ａ）から（Ｄ）に順番に示した図である。
【図１１】本発明に係る第２の充填部材の取り外し装置を示す図である。
【図１２】感光体ドラム素管の端部を削る様子を（Ａ）から（Ｃ）に順番に示した図である。
【図１３】感光体ドラム素管に押出持具を挿入し、充填部材を押し出して外す様子を（Ａ）から（Ｄ）に順番に示した図である
【符号の説明】
【００７０】
２０        感光体ドラム
２１        感光体ドラム素管（フランジが取り外された感光体ドラム）
１２４        充填部材
１２６        フランジ
１２６Ａ      軸孔
１２６Ｂ      軸孔
１２８        フランジ
２１０        シャフト
２３０        拡張装置
２４０        押出持具
２００        充填部材の取外し装置
３００        充填部材の取外し装置
３３０        リーマ装置（内壁切削装置）
【図１】
2005331661.tif 000003
【図２】
2005331661.tif 000004
【図３】
2005331661.tif 000005
【図４】
2005331661.tif 000006
【図５】
2005331661.tif 000007
【図６】
2005331661.tif 000008
【図７】
2005331661.tif 000009
【図８】
2005331661.tif 000010
【図９】
2005331661.tif 000011
【図１０】
2005331661.tif 000012
【図１１】
2005331661.tif 000013
【図１２】
2005331661.tif 000014
【図１３】
2005331661.tif 000015